(57)【要約】【課題】尾栓に、軸筒に対する軸周方向及び軸径方向の位置を合わせる為のガイドを設けると共に、軸筒に対して尾栓を容易に装着可能な筆記具を提供すること。【解決手段】軸筒５と該軸筒５の後端部に装着された尾栓６とを有し、尾栓６は、軸筒５の後端部に当接する鍔部６ｄと、軸筒５の内壁に設けた被係止部２ｄに係止する係止部６ｇと、外周部に外方へ向って突出するよう形成されたガイド部と、外周部に内外を貫通するように形成され軸方向に延びる切欠部６ｆと、を具備し、ガイド部は、軸方向に延びる第一ガイド部６ｈと、軸周方向に延びる第二ガイド部６ｉと、を有し、第一ガイド部６ｈの外側面に、軸周方向に延びる第一溝部６ｊを備えると共に、第ニガイド部６ｉの外周面に、軸周方向に延びる第二溝部６ｋを備え、第一溝部６ｊと第ニ溝部６ｋとが連通するよう形成され、尾栓６のガイド部を、第一溝部６ｊ及び第ニ溝部６ｋにより軸方向に分断して形成する。【選択図】図２
2019111723.tif 000002
【特許請求の範囲】
【請求項１】
後端部に開口部を備えた軸筒と、前記開口部に装着される尾栓と、を備えた筆記具であって、
前記尾栓は、後端に有底部を備えた筒状に形成されると共に、前記軸筒の後端部に当接する鍔部と、前記軸筒の内壁に設けた被係止部に係止する係止部と、外周部に外方へ向って突出するよう形成されたガイド部と、外周部に内外を貫通するように形成され軸方向に延びる切欠部と、を具備し、
前記ガイド部は、軸方向に延びる第一ガイド部と、軸周方向に延びる第二ガイド部と、を有し、前記第一ガイド部の外側面に、溝状に形成され軸周方向に延びる第一溝部を備えると共に、前記第ニガイド部の外周面に、溝状に形成され軸周方向に延びる第二溝部を備え、前記第一溝部と前記第ニ溝部とが連通するよう形成され、
前記軸筒の内壁に、前記第一ガイド部が挿入される内溝部と、前記第二ガイド部と摺接する内側部と、が形成され、
前記尾栓のガイド部が、前記第一溝部及び前記第ニ溝部により軸方向に分断されて形成されていることを特徴とする筆記具。
【請求項２】
前記切欠部により前記第ニガイド部の少なくとも一部が軸周方向に分断されていることを特徴とする請求項１に記載の筆記具。
【請求項３】
前記第二ガイド部の前端が前記第一ガイド部の前端より後方に形成されていることを特徴とする請求項１または２に記載の筆記具。
【発明の詳細な説明】
【技術分野】
【０００１】
本発明は、軸筒に対して尾栓を装着する筆記具に関するものである。
【背景技術】
【０００２】
従来からキャップ式の筆記具などでは軸筒後端に尾栓を装着する筆記具はよく知られており、例えば特許文献１には、軸筒の後端開口部に尾栓を圧入して嵌着することで軸筒に対して尾栓を装着している筆記具が開示されている。
この特許文献１の尾栓取り付け構造では、軸筒と尾栓との嵌合力は軸筒の内径寸法および尾栓の外径寸法に依存しているため、装着時の嵌合力にはバラツキが発生し易く、必要に応じて接着剤等を併用して固着する必要があった。
【０００３】
一方、特許文献２には、軸筒の開口部にクリップを一体成形した部材（以降クリップ部材）を装着する技術が開示されている。
この特許文献２の構造では、クリップ部材が、外方へ露出する外筒部と、軸筒の開口部内に挿入される内筒部とを有し、内筒部の外周面に係合突起とガイド用突起が形成され、軸筒の開口部の内壁面に軸方向に延びるガイド溝と係合孔とが形成され、クリップ部材の内筒部のガイド用突起を軸筒のガイド溝に挿嵌しつつクリップ部材の内筒部を軸筒内に挿入し、軸筒の係合孔とクリップ部材の係合突起とを係合させることで、軸筒に対してクリップ部材を装着している。このため、クリップ部材は軸筒に対して回転方向を決められた状態で係合される。
また、軸筒に対してクリップ部材を装着する際、クリップ部材の内筒部の外周面に設けた切欠部により内筒部が軸径方向に撓み、クリップ部材の係合突起が軸筒の内周面を乗り越えて係合孔に係合するよう構成されている。
【先行技術文献】
【特許文献】
【０００４】
【特許文献１】実公昭５６−３１４１１号公報
【特許文献２】特開平１１−１８００８７号公報
【発明の概要】
【発明が解決しようとする課題】
【０００５】
しかしながら、特許文献２では、軸筒に対してクリップ部材を装着する際、撓み部となるクリップ部材の内筒部に、軸方向へ延びガイド用突起となる連続した肉厚部が形成されているため、切欠部があっても内筒部が撓み難くなり、装着時にクリップ部材を装着するために必要となる力が大きくなるという問題がある。
【０００６】
本発明は、前記問題を鑑みてなされたものであって、尾栓に、軸筒に対する軸周方向及び軸径方向の位置を合わせる為のガイドを設けると共に、軸筒に対して尾栓を容易に装着可能な筆記具を提供することを目的とした。
【課題を解決するための手段】
【０００７】
本発明は、
「１．後端部に開口部を備えた軸筒と、前記開口部に装着される尾栓と、を備えた筆記具であって、
前記尾栓は、後端に有底部を備えた筒状に形成されると共に、前記軸筒の後端部に当接する鍔部と、前記軸筒の内壁に設けた被係止部に係止する係止部と、外周部に外方へ向って突出するよう形成されたガイド部と、外周部に内外を貫通するように形成され軸方向に延びる切欠部と、を具備し、
前記ガイド部は、軸方向に延びる第一ガイド部と、軸周方向に延びる第二ガイド部と、を有し、前記第一ガイド部の外側面に、溝状に形成され軸周方向に延びる第一溝部を備えると共に、前記第ニガイド部の外周面に、溝状に形成され軸周方向に延びる第二溝部を備え、前記第一溝部と前記第ニ溝部とが連通するよう形成され、
前記軸筒の内壁に、前記第一ガイド部が挿入される内溝部と、前記第二ガイド部と摺接する内側部と、が形成され、
前記尾栓のガイド部が、前記第一溝部及び前記第ニ溝部により軸方向に分断されて形成されていることを特徴とする筆記具。
２．前記切欠部により前記第ニガイド部の少なくとも一部が軸周方向に分断されていることを特徴とする前記１項に記載の筆記具。
３．前記第二ガイド部の前端が前記第一ガイド部の前端より後方に形成されていることを特徴とする前記１項または２項に記載の筆記具。」である。
【０００８】
本発明によれば、尾栓の外周部に軸方向に延びる第一ガイド部と、軸周方向に延びる第二ガイド部とを形成し、各々のガイド部には溝状に形成され軸周方向に延びるように形成された第一溝部及び第二溝部を形成し、前記両溝部により第一ガイド部及び第二ガイド部を軸方向前後に分断することで、尾栓を軸筒に装着する際、尾栓の外周部が撓み易くなる。このため、２つのガイド部により軸周方向及び軸径方向に尾栓がガイドされて装着位置に案内され、且つ、装着時に尾栓の外周部が撓んで当該軸筒の被係止部と尾栓の係止部とが係止し易くなり、結果として、尾栓の装着が容易となる効果を奏する。
【０００９】
また、尾栓の外周部に形成する切欠部は尾栓の前端から後方へ延びるように形成してもよく、尾栓の外周面に内外を貫通するよう孔状部として形成してもよい。
尚、切欠部の軸方向の長さは特に限定されないが、尾栓を装着する際、当該尾栓の内筒部が撓み易くなるよう、内筒部の全長の１／２以上とすることが好ましい。
【００１０】
また、尾栓の外周部に形成した切欠部により、第ニガイド部の少なくとも一部が軸周方向に分断するよう構成することが好ましく、軸周方向に延びる第二ガイド部を切欠部で分断することで、尾栓を軸筒に装着する際、尾栓の外周部が更に撓み易くなるため当該尾栓の装着に必要となる押圧力を更に下げることができる。
尚、切欠部により第ニガイド部を軸周方向に分断することで、軸筒の後端付近まで通気するための通路が形成されることから、軸筒内と筆記具の外部とを連通させ空気交代するための通気口を形成することが容易となる。
【００１１】
更に、尾栓の第二ガイド部の前端が第一ガイド部の前端より後方側になるように形成することが好ましく、この場合、第一ガイド部により軸周方向の位置を決めた際、軸径方向の位置も案内されるため、軸筒の内側部へ尾栓の第二ガイド部を挿入することが容易となり、結果として、尾栓を軸筒に装着する際の時間を短縮することができる。
【００１２】
第一ガイド部に設ける第一溝部の軸方向の幅と、第二ガイド部に設ける第二溝部の軸方向の幅は、０．５ｍｍ以上、２．０ｍｍ以下に形成することが好ましく、この場合、溝幅を０．５ｍｍ以上に形成することで、尾栓を装着する際、当該尾栓の外周部が撓み易くなる。また、溝幅を２．０ｍｍ以下にすることで挿入時にガイドから外れた尾栓が軸筒に対して傾斜し難く、再度、２つのガイド部が軸筒の内溝部及び内側部に入り易くなる効果を奏する。
【発明の効果】
【００１３】
本発明により、尾栓に、軸筒に対する軸周方向及び軸径方向の位置を合わせる為のガイドを設けると共に、軸筒に対して尾栓を容易に装着可能な筆記具を提供することができた。
【図面の簡単な説明】
【００１４】
【図１】実施例１の筆記具（ボールペン）の縦断面図である。
【図２】図１の筆記具の要部を拡大した要部拡大縦断面図である。
【図３】図２におけるＡ−Ａ断面図である。
【図４】実施例１における尾栓の斜視図である。
【図５】軸筒に尾栓を取り付ける状況を説明するための説明図である。
【図６】図１において、軸筒に対して尾栓が後方へ移動した状態の要部拡大断面図である。
【図７】図６の要部を更に拡大した要部拡大断面図である。
【図８】実施例２の筆記具の要部を拡大した要部拡大縦断面図である。
【００１５】
次に図面を参照しながら、本発明の筆記具をボールペンを用いて詳細に説明するが、本発明は以下の実施例に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１６】
実施例１
本発明の筆記具１（ボールペン）は、図１から図７に示すように、筒状に形成した後軸２の前部に同じく筒状に形成した前軸３を螺合することで固定し、更に、前軸３の前部に筒状の先口４を螺合することで固定してある。また、筆記具１は、後軸２と前軸３と先口４とで軸筒５を形成してあり、先口４の前端開口部から筆記先端部７ａが突出するようにボールペンレフィル７を軸筒５内に収納し、後軸２（軸筒５）の後端に尾栓６を装着してある。更に、ボールペンレフィル７と先口の内段との間に、弱い弾発力で形成したコイルスプリング１１が配設してあり、コイルスプリング１１によりボールペンレフィル７を後方へ弾発してある。
【００１７】
ボールペンレフィル７は、図１に示すように、先端開口部にタングステンカーバイド製のボールを抱持させ、筆記先端部７ａとなるボールペンチップ８を、樹脂製のインキ収容筒９の前端部に、チップホルダー１０を介して装着してある。
このボールペンレフィル７で筆記すると、ボールペンチップ８のボールの回転と筆圧によって、ボールがボールペンチップ８の先端開口部の底壁側に移動して、先端開口部の内壁とボールに隙間を生じ、インキ収容筒９内に収納した筆記具用水性ゲルインキを吐出して筆記することができる。
【００１８】
前軸３は、図１に示すように、筒状に形成してあり、前端内周部に先口４の雄螺子部４ａと螺合するための前部雌螺子部３ａを形成してあり、後部外周部には後部雄螺子部３ｂを形成してある。
【００１９】
後軸２は、図１から図３、及び図５に示すように、筒状に形成してあり、前端内周部に前軸３の後部雄螺子部３ａと螺合するための雌螺子部２ａを形成してあり、後部内周部２ｂ（開口部）には、軸周方向に均等配置させた状態で形成した複数のリブ２ｃと、内方へ向って突出し軸周方向に延びる内突起２ｄ（被係止部）と、を形成してある。そして、隣り合うリブ２ｃの間には内溝部２ｅが形成される。
尚、内突起２ｄ（被係止部）の前端には、図２及び図５に示すように、軸方向に対して直交する方向に延びる前方壁部２ｆと、前方壁部２ｆの内方端には先端角部２ｇと、が形成してある。また、リブ２ｃの後端の内周部は拡径された内側部２ｈが形成してある。
【００２０】
尾栓６は、図２から図５に示すように、内孔６ａに有底部６ｂを備えた筒状に形成してあり、後軸２内（軸筒５内）に挿入される内筒部６ｃと後軸２の後端面２ｉに当接する鍔部６ｄを備えた後筒部６ｅとで構成してある。また、内筒部６ｃの前部は太径に形成してあり、前端にはボールペンレフィル７の後端部が当接して、ボールペンレフィル７の後退を制限してある。更に、内筒部６ｃの外周面には、内外を貫通し、軸方向に延びるよう楕円形状で形成した切欠部６ｆと、切欠部６ｆに対して９０°回転した位置に、外方へ向って突出し、軸心を挟んで対称に２箇所形成した係止突起６ｇ（係止部）と、当該係止突起６ｇ（係止部）の後方に、外方へ向って突出し軸方向に延びるレール状に形成された第一ガイド部６ｈと、軸周方向に延びるように形成された第二ガイド部６ｉと、とを設けてある。
尚、切欠部６ｆのの軸方向（長手方向）長さを、内筒部６ｆのの軸方向（長手方向）長さに対して１／２以上の長さとすることで内筒部６ｆは軸径方向に撓み易くなる。このため、本実施例では、具体的な数値として、内筒部６ｆの長さを１４．８ｍｍで形成してあり、切欠部６ｆの長さは１０.０ｍｍで形成してある。
【００２１】
尾栓６を更に詳述すると、尾栓６の第一ガイド部６ｈは、軸周方向に延びるように形成され溝状に形成された第一溝部６ｊにより軸方向に対して前後に分断され、前部第一ガイド部６ｈ１と後部第一ガイド部６ｈ２が形成される。また、第二ガイド部６ｉは、軸周方向に延びるように形成され溝状に形成された第二溝部６ｋにより軸方向に対して前後に分断され、前部第二ガイド部６ｉ１と後部第二ガイド部６ｉ２が形成される。そして、第一溝部６ｊと第二溝部６ｋは連通するように形成され、一体の溝部として形成してある。
また、切欠部６ｆの後端は第二溝部６ｊまで達しており、前部第二ガイド部６ｉ１は、切欠部６ｆにより軸周方向にも分断されるよう構成してある。また、前部第一ガイド部６ｈ１の前端は尖形状に形成してある。
尚、具体的には、第一溝部６ｊの幅は１．０ｍｍで形成し、第二溝部６ｋの幅を１．６ｍｍで形成した。
【００２２】
また、尾栓６の係止突起６ｇ（係止部）の後端には、軸方向に対して傾斜した後方傾斜部６ｍと、後方傾斜部６ｍの前端に連接し外方へ向って突設された後方壁部６ｎと、が形成されており、尾栓６の後方傾斜部６ｍと、後軸２の内突起２ｄ（被係止部）の先端角部２ｇと、を当接した状態で係合させてある。
【００２３】
ここで、尾栓６を後軸２（軸筒５）に取り付ける際の状態を説明する。
図５に示すように、尾栓６の内筒部６ｃを前方にした状態で、後軸２の後部内周部２ｂに内筒部６ｃを挿入すると、尾栓６の係止突起６ｇ（係止部）が後軸２の内突起２ｄと当接するより先に、尾栓６の前部第一ガイド部６ｈ１の尖形状に形成した前端が後軸２の内溝部２ｅに挿入され、前部第一ガイド部６ｈ１により尾栓６の軸周方向の位置が案内される。そして、後軸２の内側部２ｈまで尾栓６の前部第二ガイド部６ｉ１が進むと、内側部２ｈに前部第二ガイド部６ｉ１が挿入され、後軸２に対して尾栓６の軸径方向の位置が案内される。更に、尾栓６を前方へ押し込むと、尾栓６の係止突起６ｇ（係止部）が後軸２の内突起２ｄに対して乗り越え嵌合する。この際、尾栓６の第一ガイド部６ｈは第一溝部６ｊにより軸方向に対して前後に分断され、第二ガイド部６ｉは第二溝部６ｋにより軸方向に対して前後に分断されると共に、第一ガイド部６ｈの前部第一ガイド部６ｈ１が、切欠部６ｆにより軸周方向に対して分断されていることから、乗り越え嵌合時に係止突起６ｇ（係止部）が内突起２ｄ（被係止部）により内方側に押圧されると、内筒部６ｃは内方側へ撓み易くなるよう構成してある。このため、後軸２（軸筒５）に対して尾栓６を容易に装着することができた。
【００２４】
また、具体的には、尾栓６を装着する際に必要となった押圧力は１９．６Ｎであり、第一溝部６ｊ及び第二溝部６ｋの幅を０．５ｍｍ以上としていることで尾栓６の装着時の押圧力を抑えることができた。更に、第一溝部６ｊ及び第二溝部６ｋの幅を２．０ｍｍ以下としていることで、後部第一ガイド部６ｈ２及び後部第二ガイド部６ｉ２が後軸２の内溝部４ｅ及び内側部２ｈに挿入される際、尾栓６は後軸２（軸筒５）に対して傾くことはなく、スムーズに挿入された。
【００２５】
尚、本実施例では、後軸２の内溝部２ｅが隣り合うリブ２ｃ同士の間に複数形成されると共に、内溝部２ｅの後端部は傾斜して形成することで拡口されており、同時に、尾栓６の前部第一ガイド部６ｈ１の前端部も尖形状に形成してあるため、尾栓６を後軸２に挿入する際、軸周方向の回転位置を合わせることなく挿入しても、前部第一ガイド部６ｈ１が内溝部２ｅに案内されて軸周方向の嵌合位置が合うように構成してある。また、前部第一ガイド部６ｈ１が内溝部２ｅに案内された際、前部第一ガイド部６ｈ１の外周面と内溝部２ｅの内周面とで、ある程度、軸径方向の位置も案内されるため、前部第一ガイド部６ｈ１より後方に形成されている第二ガイド部６ｉの前部第二ガイド部６ｉ２を後軸２（軸筒５）の内側部２ｈに挿入する際の位置合わせが容易となった。このため、後軸２（軸筒５）に対する尾栓６の装着はより容易となり、結果として、尾栓６を後軸２（軸筒５）に装着する際の時間を短縮することができた。
【００２６】
また、尾栓６を後軸２に取り付けた際、尾栓６の係止突起６ｇ（係止部）の後方傾斜部６ｍと、後軸２の内突起２ｄ（被係止部）の先端角部２ｇと、が必ず当接するよう、尾栓６の内筒部２ｃが軸径方向に少し撓んだ状態で当接させてある。これにより、尾栓６は内突起２ｃの撓みによる弾発力を受けて後軸２（軸筒５）に対して前方へ付勢され、尾栓６の鍔部６ｄの前端が後軸２の後端に常に当接するよう構成することで、尾栓６が軸方向にガタツクことを防止してある。
【００２７】
更に、尾栓６を後軸２（軸筒５）に対して引き抜く、または、尾栓６が当該尾栓６の前端部に当接しているボールペンレフィル７により後方（図２の矢印Ｐ方向）へ押されて移動しても、図６及び図７に示すように、尾栓６の係止突起６ｇ（係止部）の後方壁部６ｎと後軸２の内突起２ｄ（被係止部）の前方壁部２ｆとが面接触することで、内突起２ｄを係止突起６ｇ（係止部）が乗り越え難くなるよう構成し、尾栓６が後軸２（軸筒５）から外れることを防止してある。
具体的には、後軸２に対して尾栓６を引き抜くのに必要な力（引抜力）は７５．４Ｎであり、取り付け時の押圧力１９．６Ｎと比べて高いことから、装着が容易で抜け難い筆記具となった。
【００２８】
尚、後方壁部６ｎと前方壁部２ｆとが接触した際に、尾栓６が後軸２に対して強く引っ掛かるように、軸径方向に延びる後方壁部６ｎ及び前方壁部２ｆを、若干傾斜させて形成してもよく、後方壁部６ｎと前方壁部２ｆとの接触面の粗さを調整して接触時の摩擦係数が高くなるよう構成してもよい。
【００２９】
実施例２
本発明の第二の形態としては、図８に示すように、筆記具１００は、尾栓６０の形状を、切欠部６０ｆが内筒部６０ｃの前端部から後方へ延びるスリット状に形成してある。本実施の形態では、尾栓６０の内筒部６０ｃの前端部が閉じていないため、尾栓６０を軸筒５に取り付ける際、内筒部６０ｃが軸径方向へ撓み易くなる。このため、本実施例では、尾栓６０の取り付けが更に容易になると共に、尾栓６０の前端部を閉じなくて済む分、尾栓６０の内筒部６０ｃの長さを短くできる利点があり、軸筒５の全長を短くしたい場合や、ボールペンレフィルの全長を延ばしたい場合、または、尾栓の装着時の押圧力を更に低くしたい場合等に効果を奏する。
また、本実施の形態では、尾栓を装着し易くした分、抜け易くもなるため、尾栓で軸筒内部のレフィルなどの部品を支える必要の無い、例えば一般的な万年筆、または、マーカーやサインペンなどの塗布具等に用いることが好適である。  
【００３０】
尚、本発明に用いる筆記具としては、特に限定されることはなく、尾栓を備えた構造であれば、ボールペン、シャープペンシル、万年筆、マーカー、サインペン等の筆記具に用いることができる。
【符号の説明】
【００３１】
１…筆記具、
２…後軸、２ａ…雌螺子部、２ｂ…後部内周部、２ｃ…リブ、
２ｄ…内突起（被係止部）、２ｅ…内溝部、２ｆ…前方壁部、２ｇ…先端角部、
２ｈ…内側部、２ｉ…後端面、
３…前軸、３ａ…前部雄螺子部、３ｂ…後部雌螺子部、
４…先口、４ａ…雄螺子部、
５…軸筒、
６…尾栓、６ａ…内孔、６ｂ…有底部、６ｃ…内筒部、６ｄ…鍔部、６ｅ…後筒部、
６ｆ…切欠部、６ｇ…係止突起、６ｈ…第一ガイド部、６ｈ１…前部第一ガイド部、
６ｈ２…後部第一ガイド部、６ｉ…第二ガイド部、６ｉ１…前部第二ガイド部、
６ｉ２…後部第二ガイド部、６ｊ…第一溝部、６ｋ…第二溝部、
６ｍ…後方傾斜部、６ｎ…後方壁部、
７…ボールペンレフィル、７ａ…先端部、
８…ボールペンチップ、
９…インキ収容筒、
１０…チップホルダー、
１１…コイルスプリング、
５０…軸筒、
６０…尾栓、６０ｃ…内筒部、６０ｆ…切欠部、
１００…筆記具。
【図１】
2019111723.tif 000003
【図２】
2019111723.tif 000004
【図３】
2019111723.tif 000005
【図４】
2019111723.tif 000006
【図５】
2019111723.tif 000007
【図６】
2019111723.tif 000008
【図７】
2019111723.tif 000009
【図８】
2019111723.tif 000010